(57)【要約】      （修正有）【課題】グリッパ軸用の、特に取り付けやすい軸用支持部を提供する。【解決手段】上部２と下部３とから構成された軸受けハウジングと、軸１用の転がり軸受け２０を収容するための、軸受けハウジングに設けられた孔とを備え、上部２と下部３とは、孔の領域に位置する分割継ぎ目により分けられている、印刷技術的な機械の軸１用の支持部である。転がり軸受け２０は、少なくとも１つの転動体環６とリング状の少なくとも１つの軌道盤８とを備えるスラスト軸受けであり、軌道盤８は、上部２と下部３との間に緊締されており、上部２及び下部３の両方は、半径方向に、軌道盤８の外周面に押し付けられている。【選択図】図１
0003189652.tif 000002
【実用新案登録請求の範囲】
【請求項１】
上部（２）と下部（３）とから構成された軸受けハウジング（１９）と、軸（１）用の転がり軸受け（２０）を収容するための、前記軸受けハウジング（１９）に設けられた孔（４）とを備え、前記上部（２）と前記下部（３）とは、前記孔（４）の領域に位置する分割継ぎ目（５）により分けられている、印刷技術的な機械の軸（１）用の支持部であって、
前記転がり軸受け（２０）は、少なくとも１つの転動体環（６）とリング状の少なくとも１つの軌道盤（８）とを備えるスラスト軸受けであり、
前記軌道盤（８）は、前記上部（２）と前記下部（３）との間に緊締されており、前記上部（２）及び前記下部（３）の両方は、半径方向に、前記軌道盤（８）の外周面を押圧することを特徴とする、支持部。
【請求項２】
前記転がり軸受け（２０）は、複列であり、前記転動体環（６）は、第１の転動体環（６）であり、
前記転がり軸受け（２０）は、第２の転動体環（７）を備え、
前記第１の転動体環（６）は、前記軌道盤（８）の片側で前記軌道盤（８）に接触し、前記第２の転動体環（７）は、前記軌道盤（８）の別の片側で前記軌道盤（８）に接触する、請求項１記載の支持部。
【請求項３】
前記軌道盤（８）は、中央の軌道盤であり、
前記転がり軸受け（２０）は、第１の外側の軌道盤（９）と第２の外側の軌道盤（１０）とを備え、前記第１の外側の軌道盤（９）及び前記第２の外側の軌道盤（１０）は、リング状であり、
前記第１の転動体環（６）は、前記中央の軌道盤（８）と前記第１の外側の軌道盤（９）との間に配置されており、
前記第２の転動体環（７）は、前記中央の軌道盤（８）と前記第２の外側の軌道盤（１０）との間に配置されている、請求項２記載の支持部。
【請求項４】
前組立てされた状態で、前記第１の外側の軌道盤（９）をばね（１１）が押圧し、ばねの押圧により、両方の前記転動体環（６，７）は３つの前記軌道盤（８，９，１０）と共に緊締される、請求項３記載の支持部。
【請求項５】
前記軸（１）は、中空軸であり、
前記ばね（１１）は、前記軸（１）に被せ嵌められていて、付勢しつつ固定リング（１２）に支持されている、請求項４記載の支持部。
【請求項６】
前記軸（１）は、中空軸であり、
前記ばね（１１）は、前記軸（１）に対して同軸に整合して配置されていてかつ前記軸（１）にねじ込まれた管部材（１３）に被せ嵌められている、請求項４記載の支持部。
【請求項７】
前記ばね（１１）は、少なくとも１つのばね弾性を持つウェーブワッシャ又は少なくとも１つの皿ばねを有する、請求項４記載の支持部。
【請求項８】
前記上部（２）及び前記下部（３）は、２つのねじであるか又は１つのねじ及び１つの別の固定要素である２つの固定要素（１６，１７）により、相互に緊締されており、
前記孔（４）は、両方の前記固定要素（１６，１７）の間に配置されている、請求項１から７までのいずれか１項記載の支持部。
【請求項９】
前記分割継ぎ目（５）は、クラッキング又は破断分離により生ぜしめられている不規則に延在する破断分離線である、請求項１から７までのいずれか１項記載の支持部。
【請求項１０】
前記軸（１）は、グリッパ軸であり、前記グリッパ軸は、その上に、列を成して配置された、印刷シートを挟持するシートグリッパフィンガ（１８）を支持している、請求項１から７までのいずれか１項記載の支持部。
【考案の詳細な説明】
【技術分野】
【０００１】
本考案は、上部と下部とから構成される軸受けハウジングと、軸用の転がり軸受けを収容する軸受けハウジングに設けられた孔とを備え、上部及び下部は、孔の領域に位置する分割継ぎ目により分けられている、印刷技術的な機械の軸用の支持部に関する。
【背景技術】
【０００２】
印刷技術的な機械には、印刷済みのシートが後続処理される印刷機及び後続処理機械が含まれる。印刷技術的な機械内でグリッパシステムが用いられ、グリッパシステムにより、シートは、その搬送中に把持される。グリッパシステムは、搬送ドラム又はチェン搬送装置に配置することができる。このようなグリッパシステムは、対偶を成して配設されたグリッパフィンガとグリッパ載設部とを備える。シートは、各グリッパフィンガとグリッパフィンガに対応して配置されたグリッパ載設部との間で挟持される。グリッパフィンガは、グリッパ軸上に載置されており、グリッパ軸の回転により、グリッパフィンガは、グリッパ載設部に向かって及びグリッパ載設部から離れる方向に回動することができ、これによりグリッパシステムが開閉される。
【０００３】
グリッパ軸は、軸受けハウジング（軸受けブロック又はベアリングユニットとも云われる）に、転がり軸受けを介して支持されている。例えば独国特許出願公開第１０２００７０５６８８０号明細書において、グリッパ軸が記載されている。このグリッパ軸は、軸受けブロックにラジアル軸受けを介して支持されている。グリッパ軸の一方の端部にフランジが形成されている。フランジと軸受けブロックとの間にスラスト軸受けが配置されている。この支持部は、グリッパシステム及びその軸受けの簡単で確実な取付けの要求に対して満足できる程度には適していない。
【０００４】
独国特許出願公開第１０２００８０５９６２７号明細書及び独国特許出願公開第１０２００８０６０２９２号明細書において、グリッパ軸用の支持部が記載されている。この支持部では、ベアリングユニットが、それぞれ上部と下部とから構成されている。上部と下部とは、破断分離線により相互に分けられており、破断分離線は、いわゆるクラッキング又は破断分離により生ぜしめられている。破断分離線は、孔の、グリッパ軸用の転がり軸受けを収容するために設けられた領域に位置する。
【先行技術文献】
【特許文献】
【０００５】
【特許文献１】独国特許出願公開第１０２００７０５６８８０号明細書
【特許文献２】独国特許出願公開第１０２００８０５９６２７号明細書
【特許文献３】独国特許出願公開第１０２００８０６０２９２号明細書
【考案の概要】
【考案が解決しようとする課題】
【０００６】
本考案の課題は、特にグリッパ軸用の、特に取付けが容易な軸用支持部を提供することである。
【課題を解決するための手段】
【０００７】
この課題を解決するために本考案によれば、上部と下部とから構成された軸受けハウジングと、軸用の転がり軸受けを収容するための、軸受けハウジングに設けられた孔とを備え、上部と下部とは、孔の領域に位置する分割継ぎ目により分けられている、印刷技術的な機械の軸用の支持部であって、転がり軸受けは、少なくとも１つの転動体環とリング状の少なくとも１つの軌道盤とを備えるスラスト軸受けであり、軌道盤は、上部と下部との間に緊締されており、上部及び下部の両方は、半径方向に、軌道盤の外周面を押圧する。
【０００８】
好適には、転がり軸受けは、複列であり、転動体環は、第１の転動体環であり、転がり軸受けは、第２の転動体環を備え、第１の転動体環は、軌道盤の片側で軌道盤に接触し、第２の転動体環は、軌道盤の別の片側で軌道盤に接触する。
【０００９】
好適には、軌道盤は、中央の軌道盤であり、転がり軸受けは、第１の外側の軌道盤と第２の外側の軌道盤とを備え、第１の外側の軌道盤及び第２の外側の軌道盤は、リング状であり、第１の転動体環は、中央の軌道盤と第１の外側の軌道盤との間に配置されており、第２の転動体環は、中央の軌道盤と第２の外側の軌道盤との間に配置されている。
【００１０】
好適には、前組立てされた状態で、第１の外側の軌道盤をばねが押圧し、ばねの押圧により、両方の転動体環は３つの軌道盤と共に緊締される。
【００１１】
好適には、軸は、中空軸であり、ばねは、軸に被せ嵌められていて、付勢しつつ固定リングに支持されている。
【００１２】
好適には、軸は、中空軸であり、ばねは、軸に対して同軸に整合して配置されていてかつ軸にねじ込まれた管部材に被せ嵌められている。
【００１３】
好適には、ばねは、少なくとも１つのばね弾性を持つウェーブワッシャ又は少なくとも１つの皿ばねを有する。
【００１４】
好適には、上部及び下部は、２つのねじであるか又は１つのねじ及び１つの別の固定要素である２つの固定要素により、相互に緊締されており、孔は、両方の固定要素の間に配置されている、
好適には、分割継ぎ目は、クラッキング又は破断分離により生ぜしめられている不規則に延在する破断分離線である。
【００１５】
好適には、軸は、グリッパ軸であり、グリッパ軸は、その上に、列を成して配置された、印刷シートを挟持するシートグリッパフィンガを支持する。
【考案の効果】
【００１６】
本考案に係る、印刷技術的な機械の軸用の支持部は、軸受けハウジングと、軸受けハウジング内に形成された孔とを備える。軸受けハウジングは、上部と下部とから構成されている。孔は、軸用の転がり軸受けを収容する働きをする。上部及び下部は、分離継ぎ目により相互に分けられており、分離継ぎ目は、孔の領域に位置する。この転がり軸受けは、スラスト軸受けとして構成されていて、少なくとも１つの転動体環とリング状の少なくとも１つの軌道盤とを備える。軌道盤は、上部と下部との間に締め込まれている又は挟み込まれており、上部及び下部は、それぞれ半径方向に、軌道盤の外周面を押圧する。
【００１７】
本考案に係る支持部は、スラスト軸受け用の分割された軸受けハウジングの使用を可能にするので、特に取付けが容易である。スラスト軸受けは、こうして軸に前付けすることができ、このことは簡単な最終取付けに関して好適である。追加的な利点は、スラスト軸受け用の軸受けユニット又は軸受けハウジングが、軸のラジアル軸受け用の軸受けユニット又は軸受けハウジングと同一部分として構成することができることにある。
【００１８】
本考案に係る支持部の構造的かつ機能的に好適な改良態様は、従属請求項に記載されており、好適な態様の以下の説明及びこの説明に付属する図面から明らかである。
【図面の簡単な説明】
【００１９】
【図１】転がり軸受けを付勢するばねが軸に被せ嵌められている第１の態様を示す図である。
【図２】転がり軸受けを付勢するばねが軸に被せ嵌められている第１の態様を示す図である。
【図３】軸にねじ込まれた管部材にばねが被せ嵌められている第２の態様を示す図である。
【考案を実施するための形態】
【００２０】
次に本考案の実施の形態を、図示の態様を用いて詳しく説明する。
【００２１】
図１〜図３において、それぞれ対応する構成部分及び構成要素には、同一の符号を設けている。
【００２２】
図１及び図２には、印刷技術的な機械の軸１用の支持部が示されている。図１には、軸１及び支持部が長手方向断面図で示されており、図２には、支持部の軸受けハウジング１９が、軸を省いて横断面図で示されている。図示の印刷技術的な機械は、平版オフセット印刷用の枚葉印刷機である。軸１は、グリッパ軸であり、グリッパ軸は、その上に、印刷機内で搬送される印刷シートを挟持するための、列を成して配置されたシートグリッパフィンガ１８を支持している。軸受けハウジング１９内に孔４が形成されており、孔４の中心軸線は、前述の軸１の軸線と同軸である。
【００２３】
軸受けハウジング１９は、上部２と下部３とから成っている。両方の部分２，３は、分割継ぎ目５において継ぎ合わされている。分割継ぎ目５は、クラッキング又は分割破断により生ぜしめられている不規則に延在する破断分離線である。上部２は、孔４の半円状の半部を有し、下部３は、孔４の別の半円状の半部を有する。
【００２４】
上部２及び下部３は、２つの固定要素１６，１７により相互に緊締されており、これにより、転がり軸受け２０が孔４内で半径方向に挟み込まれる。両方の固定要素１６，１７は、ねじであり、このねじは、両方の部分２，３を通して差し込まれていて、グリッパシステムが備え付けられたシート搬送ドラムのドラム本体２１にねじ込まれている。固定要素１６は、孔４の一方の側に位置していて、別の固定要素１７は、孔４の別の一方の側に位置している。両方の固定要素１６，１７は、軸方向に相互に平行に方向付けされている。
【００２５】
転がり軸受け２０は、第１の転動体環６と第２の転動体環７とを備える。第１の転動体環６及び第２の転動体環７の転動体は、ころ又はニードルであるので、転がり軸受け２０は、スラストころ軸受けである。両方の転動体環６，７の間に、中央の軌道盤８が配置されており、軌道盤８上で両方の転動体環６，７の転動体が転動する。中央の軌道盤８は、いわゆるハウジングワッシャである。第１の転動体環６は、さらに第１の外側の軌道盤９上で転動し、軌道盤９は、ばね１１により、第１の転動体環６に押し付けられる。第２の転動体環７は、第２の外側の軌道盤１０を押圧し、第２の軌道盤１０は、軸１の平面又は段部に支持されている。外側の両方の軌道盤９，１０は、いわゆるウェーブワッシャである。
【００２６】
軸方向の力を及ぼすばね１１は、転動体環６，７と軌道盤８，９，１０とから成るセットを、付勢しつつ（プリロードを掛けつつ）保持する。付勢された状態で、前述のセットは、上部２が分割継ぎ目５において下部３上に位置正確に載置され、固定要素１６，１７により軸受けハウジング１９に挟み込まれて、これにより半径方向でも軸方向でも固定されるまえに、下部３に挿入される。転がり軸受け２０の前付けされた状態は、支持部の最終的な組立てを極めて簡単にする。
【００２７】
軸１は、中空軸であり、この中空軸の内側に、支持部の組立てが完了した状態で、図示していないねじりばね又はねじり棒ばねが配置されている。下部２と上部３とをねじ止めする際に、両方の部分２，３と中央の軌道盤８との間にプレス嵌めが及ぼされ、プレス嵌めにより、中央の軌道盤８が両方の部分２，３の間で半径方向に不動に挟み込まれて、これにより軸方向の移動に対しても固定されるように、中央の軌道盤８の外径及び孔４の内径が寸法設定されている。
【００２８】
中央の軌道盤８の内径と、中央の軌道盤８が被せ嵌められる構成部分の外径とは、すきま嵌めが生じるように寸法設定されている。この構成部品は、図１に示す態様では、軸１自体であり、図３に示す態様では、軸１にセンタリングしてねじ込まれている管部材１３である。両方の態様では、ばね１１、外側の両方の軌道盤９，１０及び転動体環６，７も、前述の構成部品に被せ嵌められている。
【００２９】  ばね１１は、ウェーブワッシャの構成をした単一又は複数のばね、又は単一又は複数の皿ばねから成っていてよい。適切な軸ワッシャは、（公序良俗違反につき、不掲載）で販売されている。
【００３０】
図１に示された態様では、ばね１１は、その１端部で、第１の外側の軌道盤９に支持されていて、その別の１端部で、軸１に形成された溝に嵌め込まれた固定リング１２に支持されている。
【００３１】
図３に基づく態様では、ばね１１は、その第１の外側の軌道盤９とは反対側の端部で、管部材１３に一体成形されたフランジ１４に支持されている。
【００３２】
図１及び図３の態様は、原則的に単に、図１による態様では軸端部が軸１に一体成形された段部により形成され、図３による態様では軸段部の代わりに管部材１３が設けられていることにより、互いに異なっている。両方の態様では、ばね１１は、組立て状態で、軸方向のプリロードが掛けられている。
【符号の説明】
【００３３】
１  軸
２  上部
３  下部
４  孔
５  分割継ぎ目
６  第１の転動体環
７  第２の転動体環
８  中央の軌道盤
９  第１の外側の軌道盤
１０  第２の外側の軌道盤
１１  ばね
１２  固定リング
１３  管部材
１４  フランジ
１６  固定要素
１７  固定要素
１８  シートグリッパフィンガ
１９  軸受けハウジング
２０  転がり軸受け
２１  ドラム本体
【図１】
0003189652.tif 000003
【図２】
0003189652.tif 000004
【図３】
0003189652.tif 000005
【手続補正書】
【提出日】平成26年1月28日(2014.1.28)
【手続補正１】
【補正対象書類名】明細書
【補正対象項目名】００２９
【補正方法】変更
【補正の内容】
【００２９】
ばね１１は、ウェーブワッシャの構成をした単一又は複数のばね、又は単一又は複数の皿ばねから成っていてよい。適切な軸ワッシャは、スイスもしくは米国において販売されている。